(57)【要約】【課題】光ディスク再生装置において音声データと静止画データを関連付けて同時再生する場合、予め決められたデータしか取り扱えず、ユーザーが所有している既存の音声データと静止画データを関連付けて再生することができなかった。【解決手段】音声データ付加情報読み取り手段１０９と静止画データ付加情報読み取り手段１１０から読み取ったデータについて、データの関連付けを付加情報関連付け判断手段１１１によって自動で判断し、現在再生中の音声データと関連があると判断された静止画データを静止画データ再生指示手段１１２によって静止画データの再生を指示する。また、静止画データ付加情報編集手段１１５と、静止画データ付加情報書き込み手段１１４を備え、関連付けたい静止画データの付加情報を編集する。【選択図】  図１０
2006041706.tif 000002
【特許請求の範囲】
【請求項１】
記録媒体から読み出した音声データと静止画データを組み合わせて音声と静止画を同時に光ディスク再生装置より再生可能な音声静止画同時再生装置であって、前記記録媒体から音声データ付加情報を読み取る音声データ付加情報読み取り手段と、前記記録媒体から静止画データ付加情報を読み取る静止画データ付加情報読み取り手段と、前記音声データ付加情報読み取り手段と前記静止画データ付加情報読み取り手段から読み取ったデータの関連付けを判断する付加情報関連付け判断手段と、前記付加情報関連付け判断手段の結果を受け再生しようとする前記音声データに関連のある前記静止画データの再生を前記光ディスク再生装置に指示する静止画データ再生指示手段とを備えた音声静止画同時再生装置。
【請求項２】
記録媒体から読み出した音声データと書込み可能な記録媒体から読み出した静止画データを同時に光ディスク再生装置により再生可能な音声静止画同時再生装置であって、前記記録媒体から音声データ付加情報を読み取る音声データ付加情報読み取り手段と、前記記録媒体から静止画データ付加情報を読み取る静止画データ付加情報読み取り手段と、前記音声データ付加情報読み取り手段と前記静止画データ付加情報読み取り手段から読み取ったデータの関連付けを判断する付加情報関連付け判断手段と、前記付加情報関連付け判断手段の結果を受け再生しようとする前記音声データに関連する前記静止画データの再生を前記光ディスク再生装置に指示する静止画データ再生指示手段と、前記静止画データ付加情報読み取り手段から読み取った前記静止画データ付加情報を編集する静止画データ付加情報編集手段と、編集した静止画データ付加情報を前記記録媒体の前記静止画データ付加情報に書き込む静止画データ付加情報書き込み手段とを備えた音声静止画同時再生装置。
【請求項３】
付加情報関連付け判断手段の関連ありの判断基準となる判断項目を選択できる関連付け判断項目選択手段を有する請求項１または請求項２記載の音声静止画同時再生装置。
【請求項４】
付加情報関連付け判断手段が、１つの音声データに対して複数の静止画データの関連付けを決定可能である請求項３記載の音声静止画同時再生装置。
【請求項５】
記録媒体が、磁気記録媒体およびメモリカードを含む不揮発性メモリである請求項４記載の音声静止画同時再生装置。
【請求項６】
記録媒体から音声データと静止画データを読み出して同時に光ディスク再生装置により再生する音声静止画同時再生方法であって、前記音声データを再生開始する音声データ再生開始工程と、前記記録媒体から音声データ付加情報を読み取る工程と、前記記録媒体から全ての静止画データ付加情報を読み取る工程と、現在再生中の音声データと関連のある静止画データを前記音声データ付加情報および前記静止画データ付加情報から判断する付加情報関連付け判断処理工程と、前記工程によって判断された前記関連のある静止画データの再生開始を指示する工程とを含む音声静止画同時再生方法。
【請求項７】
記録媒体から音声データと静止画データを読み出して同時に光ディスク再生装置により再生する音声静止画同時再生方法であって、前記記録媒体から前記音声データと前記静止画データの読み取り可能状態を検出する工程と、前記記録媒体から全ての音声データ付加情報を読み取る工程と、前記記録媒体から全ての静止画データ付加情報を読み取る工程と、全ての音声データとそれぞれ関連のある全ての静止画データを前記音声データ付加情報および前記静止画データ付加情報から判断する付加情報関連付け判断処理工程と、前記音声データを再生開始する音声データ再生開始工程と、前記付加情報関連付け判断処理工程から前記再生開始する前記音声データに関連のある前記静止画データの再生開始を指示する工程とを含む音声静止画同時再生方法。
【請求項８】
音声データと関連する静止画データが複数の場合、ユーザーが１静止画データ当たりの表示時間を設定する工程と、静止画データの表示時間測定開始する工程と、静止画データの再生開始を指示する工程と、前記静止画データの再生終了を判定する工程と、音声データの再生終了を判定する工程と、関連する前記静止画データの全再生終了時に再度関連する静止画データを表示開始させる工程とを含む請求項６または請求項７記載の音声静止画同時再生方法。
【請求項９】
音声データと関連する静止画データが複数の場合、１音声データに関連する静止画データの数により１静止画データ当たりの表示時間を設定する第１工程と、前記静止画データの表示時間を測定開始する第２工程と、前記静止画データの再生開始を指示する第３工程と、前記静止画データの再生終了を判定する第４工程と、音声データの再生終了を判定する第５工程とを含み、前記第２工程から前記第４工程は前記複数の静止画データについて順次繰り返す請求項６または請求項７記載の音声静止画同時再生方法。
【請求項１０】
音声データと、この音声データに関連する静止画データとを同時に再生する場合、書き込み可能な記録媒体に記録した静止画データ付加情報に前記音声データに関する情報を書き込む静止画データ付加情報編集方法であって、前記音声データを選択する音声データ選択工程と、前記音声データ選択工程で選択された音声データに関連付けを行いたい静止画データを選択する静止画データ選択工程と、選択された前記音声データの音声データ付加情報を記録媒体より読取る工程と、前記工程によって読取った前記音声データ付加情報を前記静止画データ付加情報に書き込む工程とを含む静止画データ付加情報編集方法。
【請求項１１】
音声データと、この音声データに関連する静止画データとを同時に再生する場合、書き込み可能な記録媒体に記録した静止画データ付加情報に前記音声データに関する情報を書き込む静止画データ付加情報編集方法であって、前記音声データを選択する音声データ選択工程と、前記音声データ選択工程で選択された音声データに関連付けを行いたい静止画データを選択する静止画データ選択工程と、前記選択された音声データの音声データ付加情報を記録媒体から読取る工程と、前記工程で得られた前記音声データ付加情報の内容を編集する工程と、前記工程によって編集された内容を前記静止画データ付加情報に書き込む工程と含む静止画データ付加情報編集方法。
【請求項１２】
音声データと、この音声データに関連する静止画データとを同時に再生する場合、書き込み可能な記録媒体に記録した静止画データ付加情報に前記音声データに関する情報を書き込む静止画データ付加情報編集方法であって、前記音声データを選択する音声データ選択工程と、前記音声データ選択工程で選択された音声データに関連付けを行いたい静止画データを選択する静止画データ選択工程と、前記選択された音声データの音声データ付加情報を記録媒体から読取る工程と、前記工程で得られた前記音声データ付加情報の文字列データを対応する数値コードに変換する工程と、前記工程によって得られた前記数値コードを前記静止画データ付加情報に書き込む工程とを含む静止画データ付加情報編集方法。
【発明の詳細な説明】
【技術分野】
【０００１】
本発明は、ＣＤ（Ｃｏｍｐａｃｔ  Ｄｉｓｃ）、ＤＶＤ（Ｄｉｇｉｔａｌ  Ｖｉｄｅｏ  ＤｉｓｃまたはＤｉｇｉｔａｌ  Ｖｅｒｓａｔｉｌｅ  Ｄｉｓｋ）などを再生可能な光ディスク再生装置において、音声データと静止画データを同時再生する音声静止画同時再生装置および方法に関するものである。さらに、ハードディスクなどの磁気記録媒体や小型メモリカードなどの不揮発性メモリといった書き込み可能な記録媒体を備えた光ディスク再生装置を用いた音声静止画同時再生方法における静止画データ付加情報編集方法に関するものである。
【背景技術】
【０００２】
近年、光ディスク再生装置は動画、音声、静止画データの再生が可能となってきており、同一ディスク内の音声データを再生しながら静止画データを同時再生することも可能となってきている。また、光ディスク再生装置は光ディスクだけでなくハードディスクやメモリカードのような記録媒体も搭載し、その記録媒体に記録されている動画、音声、静止画データの再生を可能としたり、それらの記録媒体に記録したりすることも可能となってきているため、光ディスクの音声データを再生しながらメモリカードの静止画を再生したり、その逆を行ったりする機器も登場してきている。
【０００３】
このような光ディスク再生装置において、音声データを再生しながら静止画データを同時再生させようとすると、ユーザーがデータを選択する形式であることが多い。つまり、自動で同時再生させる事は考慮されていない。
【０００４】
また、音声データと静止画データを関連付けて自動で同時再生を行う従来の技術として、予め音声データと静止画データの関連性を持たせたデータを作成したデータを同一記録媒体に記録させておき、再生時にその関連付けされたデータに従って音声データと静止画データの同時再生を行う技術がある（例えば、特許文献１参照）。
【０００５】
この技術では、音声データ再生の手順や静止画データ再生の手順を定義した管理情報と呼ばれるファイルを予め持っている音声データや静止画データに対して、音声データと静止画データの関係を管理情報に記述しておくことで、音声データに関連する静止画データを再生する技術であり、また、その編集方法を提案する技術である。
【０００６】
しかし、このような管理情報をもつ音声データや静止画データよりも音声データのみや静止画データのみの方が普及しており、それらに対して解決することができる技術ではなかった。
【特許文献１】特開２００１―１０１８３１号公報
【発明の開示】
【発明が解決しようとする課題】
【０００７】
上述したように、音声データと静止画データを自動的に関連付けて同時再生する場合に限定されたデータのみしか取り扱えることができなかった。ユーザーが所有している既存の音声データでＣＤ−ＤＡやＭＰ３などの音声データの再生と、ＪＰＥＧやＴＩＦＦなどの静止画データとを結びつけることができなかった。
【０００８】
本発明では、ユーザーが所有する音声データと静止画データを自動で関連付けて再生する音声静止画同時再生装置および方法を提供することを目的とし、また、その関連付けを簡単に編集することができる静止画データ付加情報編集方法を提供することを目的とするものである。
【課題を解決するための手段】
【０００９】
上記課題を解決するために、本発明では音声データや静止画データが本来持っている付加情報に着目する。
【００１０】
すなわち、本発明の音声静止画同時再生装置は、記録媒体から読み出した音声データと静止画データを組み合わせて音声と静止画を同時に光ディスク再生装置より再生可能な音声静止画同時再生装置であって、記録媒体から音声データ付加情報を読み取る音声データ付加情報読み取り手段と、記録媒体から静止画データ付加情報を読み取る静止画データ付加情報読み取り手段と、音声データ付加情報読み取り手段と静止画データ付加情報読み取り手段から読み取ったデータの関連付けを判断する付加情報関連付け判断手段と、付加情報関連付け判断手段の結果を受け再生しようとする音声データに関連のある静止画データの再生を光ディスク再生装置に指示する静止画データ再生指示手段とを備えたものである。
【００１１】
本発明の別の音声静止画同時再生装置は、記録媒体から読み出した音声データと書込み可能な記録媒体から読み出した静止画データを同時に光ディスク再生装置により再生可能な音声静止画同時再生装置であって、記録媒体から音声データ付加情報を読み取る音声データ付加情報読み取り手段と、記録媒体から静止画データ付加情報を読み取る静止画データ付加情報読み取り手段と、音声データ付加情報読み取り手段と静止画データ付加情報読み取り手段から読み取ったデータの関連付けを判断する付加情報関連付け判断手段と、付加情報関連付け判断手段の結果を受け再生しようとする音声データに関連する静止画データの再生を光ディスク再生装置に指示する静止画データ再生指示手段と、静止画データ付加情報読み取り手段から読み取った静止画データ付加情報を編集する静止画データ付加情報編集手段と、編集した静止画データ付加情報を記録媒体の静止画データ付加情報に書き込む静止画データ付加情報書き込み手段とを備えたものである。
【００１２】
上記構成において、付加情報関連付け判断手段の関連ありの判断基準となる判断項目を選択できる関連付け判断項目選択手段を有するものである。
【００１３】
上記構成において、付加情報関連付け判断手段が、１つの音声データに対して複数の静止画データの関連付けを決定可能である。
【００１４】
上記構成において、記録媒体が、磁気記録媒体およびメモリカードを含む不揮発性メモリである。
【００１５】
本発明の音声静止画同時再生方法は、記録媒体から音声データと静止画データを読み出して同時に光ディスク再生装置により再生する音声静止画同時再生方法であって、音声データを再生開始する音声データ再生開始工程と、記録媒体から音声データ付加情報を読み取る工程と、記録媒体から全ての静止画データ付加情報を読み取る工程と、現在再生中の音声データと関連のある静止画データを音声データ付加情報および静止画データ付加情報から判断する付加情報関連付け判断処理工程と、工程によって判断された関連のある静止画データの再生開始を指示する工程とを含むものである。。
【００１６】
本発明の別の音声静止画同時再生方法は、記録媒体から音声データと静止画データを読み出して同時に光ディスク再生装置により再生する音声静止画同時再生方法であって、記録媒体から音声データと静止画データの読み取り可能状態を検出する工程と、記録媒体から全ての音声データ付加情報を読み取る工程と、記録媒体から全ての静止画データ付加情報を読み取る工程と、全ての音声データとそれぞれ関連のある全ての静止画データを音声データ付加情報および静止画データ付加情報から判断する付加情報関連付け判断処理工程と、音声データを再生開始する音声データ再生開始工程と、付加情報関連付け判断処理工程から再生開始する音声データに関連のある静止画データの再生開始を指示する工程とを含むものである。
【００１７】
上記構成において、音声データと関連する静止画データが複数の場合、ユーザーが１静止画データ当たりの表示時間を設定する工程と、静止画データの表示時間測定開始する工程と、静止画データの再生開始を指示する工程と、静止画データの再生終了を判定する工程と、音声データの再生終了を判定する工程と、関連する静止画データの全再生終了時に再度関連する静止画データを表示開始させる工程とを含む。
【００１８】
上記構成において、音声データと関連する静止画データが複数の場合、１音声データに関連する静止画データの数により１静止画データ当たりの表示時間を設定する第１工程と、静止画データの表示時間を測定開始する第２工程と、静止画データの再生開始を指示する第３工程と、静止画データの再生終了を判定する第４工程と、音声データの再生終了を判定する第５工程とを含み、第２工程から第４工程は複数の静止画データについて順次繰り返す。
【００１９】
本発明の静止画データ付加情報編集方法は、音声データと、この音声データに関連する静止画データとを同時に再生する場合、書き込み可能な記録媒体に記録した静止画データ付加情報に音声データに関する情報を書き込む静止画データ付加情報編集方法であって、音声データを選択する音声データ選択工程と、音声データ選択工程で選択された音声データに関連付けを行いたい静止画データを選択する静止画データ選択工程と、選択された音声データの音声データ付加情報を記録媒体より読取る工程と、工程によって読取った音声データ付加情報を静止画データ付加情報に書き込む工程とを含むものである。
【００２０】
本発明の別の静止画データ付加情報編集方法は、音声データと、この音声データに関連する静止画データとを同時に再生する場合、書き込み可能な記録媒体に記録した静止画データ付加情報に音声データに関する情報を書き込む静止画データ付加情報編集方法であって、音声データを選択する音声データ選択工程と、音声データ選択工程で選択された音声データに関連付けを行いたい静止画データを選択する静止画データ選択工程と、選択された音声データの音声データ付加情報を記録媒体から読取る工程と、工程で得られた音声データ付加情報の内容を編集する工程と、工程によって編集された内容を静止画データ付加情報に書き込む工程と含む。
【００２１】
本発明のさらに別の静止画データ付加情報編集方法は、音声データと、この音声データに関連する静止画データとを同時に再生する場合、書き込み可能な記録媒体に記録した静止画データ付加情報に音声データに関する情報を書き込む静止画データ付加情報編集方法であって、音声データを選択する音声データ選択工程と、音声データ選択工程で選択された音声データに関連付けを行いたい静止画データを選択する静止画データ選択工程と、選択された音声データの音声データ付加情報を記録媒体から読取る工程と、工程で得られた音声データ付加情報の文字列データを対応する数値コードに変換する工程と、工程によって得られた数値コードを静止画データ付加情報に書き込む工程とを含む。
【発明の効果】
【００２２】
本発明の音声静止画同時再生装置によれば、付加情報関連付け判断手段によって現在再生中の音声データと関連があると判断された静止画データを静止画データ再生指示手段によって静止画データの再生が指示され、音声データに関連した静止画データを自動的に再生することができる。
【００２３】
本発明の別の音声静止画同時再生装置によれば、音声データと静止画データの同時再生時に参照可能な付加情報を記録媒体の静止画データ付加情報に書き込むことができるため、音声データと静止画データの関連付けを簡単に編集することができる。
【００２４】
付加情報関連付け判断手段の判断基準を決定できる関連付け判断項目選択手段により、利用者が決定する判断項目から付加情報関連付け判断手段によって現在再生中の音声データと関連があると判断された静止画データを静止画データ再生指示手段によって静止画データの再生が指示され、音声データに関連した静止画データが自動的に再生される。
【００２５】
本発明の音声静止画同時再生方法によれば、音声データ再生開始時に関連のある静止画データを検索し音声静止画同時再生を実現することができる。
【００２６】
本発明の別の音声静止画同時再生方法によれば、音声データ再生前に全ての音声データと静止画データの関連付けを行い、音声静止画同時再生を実現することができる。
【００２７】
音声データに対して複数の静止画データが関連付けられた場合に、ユーザーが１静止画データ当たりの表示時間を設定する工程により、ユーザーが決定した静止画データの再生時間に従って静止画の再生を行うことを可能とする。
【００２８】
また音声データに対して複数の静止画データが関連付けられた場合に、１音声データに関連する静止画データの数により１静止画データ当たりの表示時間を設定する工程により、
自動的に静止画データの再生時間を決定して静止画の再生を行うことを可能とする。
【００２９】
本発明の静止画データ付加情報編集方法によれば、音声静止画同時再生装置を使い、音声データ付加情報を読取る工程によって読取った情報を静止画データ付加情報に自動的に記録することを実現できる。
【００３０】
本発明の別の静止画データ付加情報編集方法によれば、任意の文字情報に編集する工程により静止画データ付加情報を任意に編集でき、書込むデータ量を調節できる。
【００３１】
本発明のさらに別の静止画データ付加情報編集方法によれば、文字列データを対応する数値コードに変換する工程により、静止画データ付加情報領域への書込み時に最小限のデータサイズで行える。
【００３２】
上記から本発明によれば、ユーザーが所有する音声データと、その関連する静止画データの同時再生を自動で判断し再生することが可能であり、その関連付けを任意に設定でき、簡単に編集することができる。
【発明を実施するための最良の形態】
【００３３】
図１は、本発明の第１の実施形態である音声静止画同時再生装置の構成図であり、図２（ａ）は、ＭＰ３音声データ付加情報であるＩＤ３ＴＡＧの構成図であり、図２（ｂ）は、ＣＤ−ＤＡ音声データ付加情報の構成図であり、図３（ａ）は、Ｅｘｉｆ規格の静止画データ付加情報構成図であり、図３（ｂ）は、ＪＦＩＦ規格の静止画データ付加情報構成図であり、図４は、付加情報関連付け判断処理のフロー図であり、図５は、本発明の第２の実施形態である音声データと静止画データの関連項目を選択可能な音声静止画同時再生装置の構成図であり、図６は、本発明の音声データ開始時に関連付けを判断する音声静止画同時再生方法のフロー図であり、図７は、本発明の音声データと静止画データを認識した段階で関連付けを行う音声静止画同時再生方法のフロー図であり、図８は、ユーザー設定時間による複数静止画再生処理のフロー図であり、図９は、自動時間設定による複数静止画再生処理のフロー図であり、図１０は、本発明の第３の実施形態である静止画データ付加情報を編集可能な音声静止画同時再生装置の構成図であり、図１１（ａ）は、音声データ付加情報を全て自動で静止画データ付加情報領域へ書込みを行う方法を示すフロー図であり、図１１（ｂ）は、音声データ付加情報を編集した一部の文字データを静止画データ付加情報領域へ書込みを行う方法を示すフロー図であり、図１１（ｃ）は、音声データ付加情報を静止画データ付加情報領域へ書込みを行う際に文字データを数値コードに変換して書込みを行う方法を示すフロー図であり、図１２（ａ）は、音声データ付加情報を全て自動で静止画データ付加情報領域へ書込みを行う図であり、図１２（ｂ）は、音声データ付加情報を編集した一部の文字データを静止画データ付加情報領域へ書込みを行う図であり、図１２（ｃ）は、音声データ付加情報を静止画データ付加情報領域へ書込みを行う際に文字データを数値コードに変換して書込みを行う図である。
【００３４】
まず、図１により本発明の第１の実施の形態の音声静止画同時再生装置の構成を説明する。
【００３５】
本発明の第１の実施形態の音声静止画同時再生装置は、たとえばＤＶＤプレーヤやＤＶＤレコーダのような音声データや静止画データを再生可能な機器に実装され、音声データ付加情報１０６を持つ音声データ１０５や静止画データ付加情報１０８をもつ静止画データ１０７を再生することが可能な音声・静止画再生装置１０１と、音声データ１０５や静止画データ１０７が記録されている光ディスク１０２、ハードディスク１０３、例えば小型のメモリカード１０４などの記録媒体と、音声データ付加情報読取り手段１０９と、静止画データ付加情報読取り手段１１０と、音声データと静止画データの付加情報の関連を判断する付加情報関連付け判断手段１１１と、関連付けされた静止画データの再生開始を指示する静止画データ再生指示手段１１２から構成される。
【００３６】
音声データ付加情報読取り手段１０９は、あらゆる音声データフォーマットの付加情報を読み取る手段である。音声データフォーマットによって、付加情報フォーマットも異なってくるため、それぞれのフォーマットに準じた読取りを行わなければならない。例えば、図２（ａ）に示すＭＰ３のＩＤ３ＴＡＧＶｅｒ１準拠のフォーマットの場合は、ファイルの終端に付加情報が記録されている。また、図２（ｂ）に示すＣＤ−ＴＥＸＴのフォーマットの場合は、ＴＯＣエリアにテキスト情報として付加情報が記録されている。これらの付加情報を読取る手段として、音声データ付加情報読取り手段１０９を備えている。
【００３７】
静止画データ付加情報読み取り手段１１０は、あらゆる静止画データフォーマットの付加情報を読取る手段である。静止画データフォーマットによって、付加情報フォーマットも異なってくるため、それぞれのフォーマットに準じた読取りを行わなければならない。例えば、図３（ａ）に示すＥｘｉｆ準拠のＪＰＥＧファイルフォーマットの場合は、Ａｐｐｌｉｃａｔｉｏｎ  Ｍａｒｋｅｒ  Ｓｅｇｍｅｎｔａｔｉｏｎ１の中に画像付加情報として記録されている。また、図３（ｂ）に示すＪＦＩＦ準拠のＪＰＥＧファイルフォーマットの場合は、拡張Ａｐｐｌｉｃａｔｉｏｎ  Ｍａｒｋｅｒ  Ｓｅｇｍｅｎｔａｔｉｏｎ０の中に画像付加情報として記録されている。これらの付加情報を読取る手段として、静止画データ付加情報読取り手段１１０を備えている。
【００３８】
付加情報関連付け判断手段１１１は、読み出された音声データ付加情報１０６と静止画データ付加情報１０８の関連付けを判断する手段である。
【００３９】
静止画データ再生指示手段１１２は、音声データが再生された時、付加情報関連付け判断手段１１１によって指定された静止画データを再生するために、音声・静止画再生装置１０１に静止画データの転送を行い、表示開始を指示する手段である。
【００４０】
ここで、音声データと静止画データの関連付けの処理を図４の付加情報関連付け判断処理のフローチャートで説明する。
【００４１】
まず、ＳＴＥＰ８０１で関連付けを行なうにあたってタイトル、アーティストなどの項目で判断するかを判断する。ユーザーによって項目選択が決定されている場合は、ＳＴＥＰ８０２で音声データ付加情報の中の選択されている項目についての文字データを読み込む。項目選択がない場合は、ＳＴＥＰ８０３で音声データ付加情報の全てのデータを読み込む。次に、ＳＴＥＰ８０４で静止画データ付加情報を数値コードで判断するか、文字データで判断するかユーザーの選択に従って判断する。数値コードで判断する場合は、ＳＴＥＰ８０５で静止画データ付加情報の数値コードを読取り、ＳＴＥＰ８０６にて読取った数値コードを文字データに変換する。文字データで判断する場合は、ＳＴＥＰ８０７で静止画データ付加情報の文字データを読取る。次に、ＳＴＥＰ８０８で音声データ付加情報の文字データと静止画データ付加情報の文字データの比較を行い、音声データ付加情報に含まれる文字列が静止画データ付加情報に含まれる文字列と一致した場合、関連ありとしてＳＴＥＰ８０９に進み、一致しなかった場合は、関連なしとしてＳＴＥＰ８１０に進み終了する。
【００４２】
次に、図５に示す本発明の第２の実施の形態の音声データと静止画データの関連項目を選択可能な音声静止画同時再生装置の構成を説明する。
【００４３】
これは、図１に示す音声静止画同時再生装置に、関連付け判断項目選択手段１１３を追加した構成となる。音声データ付加情報１０５に含まれるデータは、図２に示されるように、曲名、演奏者名、アルバム名、Ｔｉｔｌｅ、Ｐｅｒｆｏｍｅｒ、Ｓｏｎｇ Ｗｒｉｔｅｒなどの項目を持つ。関連付け判断項目選択手段１１３は、これら音声データ付加情報の項目の中から関連付けたい項目をユーザーが選択できる手段である。
【００４４】
以上のような第１の実施の形態および第２の実施の形態の音声静止画同時再生装置を用いて、音声データと静止画データを自動で関連付けて同時再生させる方法を図６、図７、図８、図９を用いて説明する。
【００４５】
まず、図６の方法について説明する。ＳＴＥＰ４０１で再生開始する音声データの付加情報を読取り、ＳＴＥＰ４０２で再生開始する音声データの再生時間を読取り、ＳＴＥＰ４０３で音声データ再生開始を行なう。ＳＴＥＰ４０４で静止画データ付加情報を読取り、上記音声データ付加情報との関連をＳＴＥＰ４０５の付加情報関連付け判断処理で判断する。この時、関連する静止画データが複数ある場合は、ＳＴＥＰ４０７の複数静止画再生処理へと進み、関連する静止画データが１つの場合は、ＳＴＥＰ４０８へ進み静止画データ再生開始を指示する。このように、音声データ再生を開始してから静止画データとの関連付けを決定する事で、音声データ再生開始を遅延させる事なく、音声静止画同時再生を自動的に関連付けて行う事が可能となる。
【００４６】
次に、図７の方法について説明する。ＳＴＥＰ５０１で音声データと静止画データが読取り可能になったかどうかを検出する。具体的には、光ディスク、メモリカードなどが挿入されたり、ハードディスクの電源がＯＮとなったりして、ファイル情報が読取れるようになったかどうかを検出するものである。ＳＴＥＰ５０２で全音声データの付加情報を読取り、ＳＴＥＰ５０３で全音声データの再生時間を読取り、ＳＴＥＰ５０４で全静止画データ付加情報を読取り、上記音声データ付加情報との関連する静止画データをＳＴＥＰ５０５の付加情報関連付け判断処理で検索する。その後、ＳＴＥＰ５０６で音声データ再生開始処理が行われ、その音声データと関連する静止画データが複数ある場合は、ＳＴＥＰ５０７の複数静止画再生処理へと進み、関連する静止画データが１つの場合は、ＳＴＥＰ５０８へ進み静止画データ再生開始を指示する。このように、音声データと静止画データの関連付けを予め行なって置く事で、音声データ開始時に関連する静止画データがすぐに再生される。
【００４７】
ここで、図６および図７の複数静止画再生処理について図８により説明する。ＳＴＥＰ６０１でユーザーが設定した時間を静止画データ再生時間とする。ＳＴＥＰ６０２で再生する静止画データナンバーのリセット、ＳＴＥＰ６０３で静止画データ再生時間測定用タイマのリセットスタートを行い、ＳＴＥＰ６０４で静止画データの再生開始を行い、ＳＴＥＰ６０５で静止画データナンバーのインクリメントを行う。ＳＴＥＰ６０６では音声データ再生時間終了を監視し、ＳＴＥＰ６０７では静止画データ再生時間終了を監視する。ＳＴＥＰ６０７で静止画データ再生時間が終了と判断され、ＳＴＥＰ６０８で関連する最終の静止画データでないと判断されると、ＳＴＥＰ６０３へと戻り、次の静止画データの再生を開始する。また、ＳＴＥＰ６０８で関連する最終の静止画データであると判断された場合、ＳＴＥＰ６０２へと戻り、関連する静止画データを再度初めから再生開始を行う。
【００４８】
また、図９にて複数静止画再生処理の２つ目の方法について説明する。ＳＴＥＰ７０１で音声データ再生時間と静止画データ再生数から１静止画データ当たりの音声データ再生時間を除算で算出し、静止画データ再生時間と設定する。ＳＴＥＰ７０２で再生する静止画データナンバーのリセット、ＳＴＥＰ７０３で静止画データ再生時間測定用タイマのリセットスタートを行い、ＳＴＥＰ７０４で静止画データの再生開始を行い、ＳＴＥＰ７０５で静止画データナンバーのインクリメントを行う。ＳＴＥＰ７０６では静止画データ再生時間終了を監視し、静止画データ再生時間が終了と判断されると、ＳＴＥＰ７０７で最終の静止画データかどうか判断される。最終静止画データの再生でない場合は、ＳＴＥＰ７０３へと戻り、次の静止画データの再生を開始する。最後にＳＴＥＰ７０８で音声データ再生時間終了を監視し、再生終了の場合にこの処理を終了する。
【００４９】
次に、図１０により本発明の第３の実施の形態の静止画データ付加情報を編集可能な音声静止画同時再生装置の構成を説明する。
【００５０】
図１、図５で示した第１および第２の実施の形態の音声動画同時再生装置において、静止画データ付加情報書込み手段１１４と、静止画データ付加情報編集手段１１５を備え、音声データに関連付けたい静止画データの付加情報を編集する事を可能としている。
【００５１】
静止画データ付加情報編集手段１１５は、静止画データ付加情報読取り手段１１０から読取ったデータを表示し、編集する事を可能とする手段であり、静止画データ付加情報書込み手段１１４は、編集した静止画データ付加情報を書込む手段である。この時、静止画データは書き込み可能な記録媒体に記録されていることを前提とする。
【００５２】
上記のような音声静止画同時再生装置を用いて、静止画データ付加情報に音声データと関連付けるためのデータの編集、書込み方法を図１１および図１２を用いて説明する。
【００５３】
まず、図１１（ａ）の方法について説明する。ＳＴＥＰ１１０１で音声データを選択し、ＳＴＥＰ１１０２で関連付けを行いたい静止画データを選択する。次に、ＳＴＥＰ１１０３で選択された音声データの付加情報を全て読み込み、ＳＴＥＰ１１０４で選択された静止画データ全ての付加情報領域に対して、ＳＴＥＰ１１０３で選択された音声データの付加情報全てを書込む。図１２（ａ）が上記処理によるデータの関係を示す図である。この方法により、ユーザーは関連付けたい音声データと静止画データを選択するだけで、関連付けさせる付加情報を静止画データに埋め込む事ができ、上記の音声静止画同時再生装置にて自動で関連付け再生を行う事が可能となる。
【００５４】
次に、図１１（ｂ）の方法について説明する。ＳＴＥＰ１１０５で音声データを選択し、ＳＴＥＰ１１０６で関連付けを行いたい静止画データを選択する。次に、ＳＴＥＰ１１０７で選択された音声データの付加情報を全て読み込み、ＳＴＥＰ１１０８では、ＳＴＥＰ１１０７で読込んだ音声データ付加情報の内容例えば任意の文字情報に編集する。この時、不要な情報を削除したり、他の必要な情報を新たに編集したりすることが可能である。ＳＴＥＰ１１０９では、選択された静止画データ全ての付加情報領域に対して、ＳＴＥＰ１１０８で編集された音声データの付加情報全てを書込む。図１２（ｂ）が上記処理によるデータの関係を示す図である。この方法により、ユーザーは関連付けたい情報を自ら編集、書込みすることが可能となり、上記の音声静止画同時再生装置にて自動で関連付け再生を行う事が可能となる。
【００５５】
次に、図１１（ｃ）の方法について説明する。ＳＴＥＰ１１１０で音声データを選択し、ＳＴＥＰ１１１１で関連付けを行いたい静止画データを選択する。次に、ＳＴＥＰ１１１２で選択された音声データの付加情報を全て読み込み、ＳＴＥＰ１１１３では、ＳＴＥＰ１１１２で読込んだ音声データ付加情報の内容を数値コードに変換する。この時、音声データ付加情報の文字列データと変換する数値コードの関係をメモリに保存しておき、逆変換するときは、その保存したデータを使用する。ＳＴＥＰ１１１４では、選択された静止画データ全ての付加情報領域に対して、ＳＴＥＰ１１１３で変換された音声データの付加情報の数値コードを書込む。図１２（ｃ）が上記処理によるデータの関係を示す図である。
【００５６】
この方法により、静止画データ付加情報領域のメモリサイズを最小限に抑える事が可能となり、上記の音声静止画同時再生装置にて自動で関連付け再生を行う事が可能となる。
【産業上の利用可能性】
【００５７】
本発明にかかる音声静止画同時再生装置および方法並びに静止画データ付加情報編集方法は、ユーザーが所有する音声データと静止画データを自動で関連付けて再生し、また、その関連付けを簡単に編集することができるという効果があり、音声静止画同時再生装置および方法並びに静止画データ付加情報編集方法として有用である。
【図面の簡単な説明】
【００５８】
【図１】本発明の第１の実施形態である音声静止画同時再生装置の構成図である。
【図２】２種類の音声データ付加情報例の説明図である。
【図３】２種類の静止画データ付加情報例の説明図である。
【図４】付加情報関連付け判断処理のフロー図である。
【図５】本発明の第２の実施形態である音声データと静止画データの関連項目を選択可能な音声静止画同時再生装置の構成図である。
【図６】本発明の音声データ開始時に静止画データとの関連付けを判断する音声静止画同時再生方法のフロー図である。
【図７】本発明の音声データと静止画データを認識した段階で関連付けを行う音声静止画同時再生方法のフロー図である。
【図８】本発明の音声静止画同時再生方法におけるユーザー設定時間による複数静止画再生処理のフロー図である。
【図９】本発明の音声静止画同時再生方法における自動時間設定による複数静止画再生処理のフロー図である。
【図１０】本発明の第３の実施形態である静止画データ付加情報を編集可能な音声静止画同時再生装置の構成図である。
【図１１】本発明の静止画データ付加情報の３つの書込み方法を説明するフロー図である。
【図１２】音声データ付加情報編集データの静止画データ付加情報領域への書込みを説明する図である。
【符号の説明】
【００５９】
１０１            音声・静止画再生装置
１０２            光ディスク
１０３            ハードディスク
１０４            メモリカード
１０５            音声データ
１０６            音声データ付加情報
１０７            静止画データ
１０８            静止画データ付加情報
１０９            音声データ付加情報読取り手段
１１０            静止画データ付加情報読取り手段
１１１            付加情報関連付け判断手段
１１２            静止画データ再生指示手段
１１３            関連付け判断項目選択手段
１１４            静止画データ付加情報編集手段
１１５            静止画データ付加情報書込み手段
【図１】
2006041706.tif 000003
【図２】
2006041706.tif 000004
【図３】
2006041706.tif 000005
【図４】
2006041706.tif 000006
【図５】
2006041706.tif 000007
【図６】
2006041706.tif 000008
【図７】
2006041706.tif 000009
【図８】
2006041706.tif 000010
【図９】
2006041706.tif 000011
【図１０】
2006041706.tif 000012
【図１１】
2006041706.tif 000013
【図１２】
2006041706.tif 000014